(57)【要約】      （修正有）【課題】接続作業が容易な、地山の排水工法等に用いられる透水管（排水管）を提供する。【解決手段】透水管部材１は、透水管２の両端部に接続部３が取付けられる。接続部３は、合成樹脂製の異径継手管からなり、外嵌部３ａが透水管２の両端部の外周面に嵌合して接着により固定される。外嵌部３ａより小径の内嵌部３ｂに他の管部材の内周面を嵌合して接続する。【選択図】図１
2019100047.tif 000002
【特許請求の範囲】
【請求項１】
透水孔を有する透水管と、該透水管の両端部に固定された接続部と、を備え、
前記接続部は、前記透水管の両端部の外周面に嵌合して固定される外嵌部と、該外嵌部より小径でその外周面に他の管部材を嵌合して接続し得る内嵌部とを有する、
ことを特徴とする透水管部材。
【請求項２】
前記接続部は、合成樹脂製の異径継手管からなる、
請求項１記載の透水管部材。
【請求項３】
前記接続部は、表面に粗面処理を施すか又は高摩擦材を被覆した高い摩擦係数からなる表面部を有する、
請求項１又は２記載の透水管部材。
【請求項４】
前記透水管は、前記透水孔となる多数の開口を有する合成樹脂製のパイプ部と、該パイプ部の外周面に巻かれた不織布からなるフィルタ部と、該フィルタ部の外周面を覆って接着剤で両側端部を接着したネット部と、を有し、
前記接続部は、前記外嵌部が前記ネット部の外周面に嵌合して接着剤で接着されてなる、
請求項２又は３のいずれか１項記載の透水管部材。
【発明の詳細な説明】
【技術分野】
【０００１】
本発明は、排水管等の透水管部材に係り、詳しくは両端部に他の部材を接続し得る接続部を備えた透水管部材に関する。
【背景技術】
【０００２】
従来、所定長さの薄肉鋼管等からなる排水管を鞘管にて複数個連結し、先端に設けた掘削ヘッドにより盛土を掘削して、排水管の透水孔を通して盛土内の水を集めて排出する地山の排水工法が知られている（特許文献１，２参照）。特許文献１に示される鞘管は、平板をかしめて円筒形に曲成し、該円筒形の先端部をスリットとして残すと共に該円筒形の内側にキー溝を形成して構成されている。該鞘管は、上記排水管を構成する薄肉鋼管の端部に嵌合されて接着により一体に固定されると共に、薄肉鋼管に形成されたキー溝と上記鞘管のキー溝とを合せてキーを挿入して薄肉鋼管同士を接続する。
【０００３】
上記特許文献２のものは、継ぎ足す薄肉鋼管の先端外周側及び鞘管の内周に接着剤を塗布し、該鞘管付きの薄肉鋼管をスライドさせて既設の薄肉鋼管に該鞘管を嵌め込んで接着して薄肉鋼管同士を接続する。
【先行技術文献】
【特許文献】
【０００４】
【特許文献１】特開２０１６−３０９９２号公報
【特許文献２】特開２０１６−２１１１５６号公報
【発明の概要】
【発明が解決しようとする課題】
【０００５】
上述した排水管を構成する薄肉鋼管の接続は、いずれも既設の薄肉鋼管の後端に鞘管を嵌合、接着し、それに次の薄肉鋼管を嵌合、接着して接続するものであり、現場における排水管同士の接続に限られる。また、鞘管は、鋼材からなり、薄肉鋼管に合せて専用に成形されるため、製造が面倒であると共に、排水管の接続のために、現場において面倒な接着作業を必要とする。
【０００６】
そこで、本発明は、排水管等の透水管の両端部に接続部を予め固定して設け、現場での接続作業を容易にすると共に、排水管等同士の接続に限らず、他の既存の塩ビ管等の部品に接続可能な透水管部材を提供することを目的とするものである。
【課題を解決するための手段】
【０００７】
本発明は、透水孔を有する透水管（２）と、該透水管の両端部に固定された接続部（３）と、を備え、
前記接続部（３）は、前記透水管（２）の両端部の外周面に嵌合して固定される外嵌部（３ａ）と、該外嵌部より小径でその外周面に他の管部材を嵌合して接続し得る内嵌部（３ｂ）とを有する、
ことを特徴とする透水管部材（１）にある。
【０００８】
好ましくは、前記接続部（３）は、合成樹脂製の異径継手管からなる。
【０００９】
前記接続部（３）は、表面に粗面処理を施すか又は高摩擦材を被覆した高い摩擦係数からなる表面部を有する。
【００１０】
例えば図１を参照して、前記透水管（２）は、前記透水孔となる多数の開口を有する合成樹脂製のパイプ部（５）と、該パイプ部の外周面に巻かれた不織布からなるフィルタ部（６）と、該フィルタ部の外周面を覆って接着剤で両側端部を接着したネット部（７）と、を有し、
前記接続部（３）は、前記外嵌部が前記ネット部（７）の外周面に嵌合して接着剤で接着されてなる。
【００１１】
なお、上記カッコ内の符号は、図面と対照するためのものであるが、これにより特許請求の範囲の記載に何等影響を及ぼすものではない。
【発明の効果】
【００１２】
請求項１に係る本発明によると、透水管の両端部に接続部を備え、該接続部は、透水管の両端部の外周面に嵌合して固定される外嵌部と該外嵌部より小径でその外周面に他の管部材を嵌合して接続し得る内嵌部とを有するので、例えば中空円筒形の継手管を介して他の透水管部材を接続して、連続した直線状の排水管とすることができ、盛土等の排水設備を容易に施工することができる。また、接続部の内嵌部に他の塩ビ管の既製品を接続して、多くの用途に用いることができる。
【００１３】
請求項２に係る本発明によると、上記接続部が合成樹脂製の異径継手管からなるので、高い精度の接続部を容易に得られ、両端部に接続部を有する透水管部材を安価に製造することができ、透水管部材同士の接続の外、他の塩化ビニル製の既製の部材に確実かつ容易に接続して多くの用途に用いることができる。
【００１４】
請求項３に係る本発明によると、接続部は、その表面部が高い摩擦係数を有するので、接着による接続に限らず、嵌合のみによる接続も可能となり、例えば透水管部材を吸水装置のフィルタとして用いる場合、接続部の嵌合を外して容易に清浄することができる。
【００１５】
請求項４に係る本発明によると、透水管が多数の開口を有するパイプ部とフィルタ部とネット部とを備え、合成樹脂による耐久性、耐圧性の高い製品からなり、それに合成樹脂製の異径継手管を接続して、耐久性、耐圧性の高い安価な透水管部材を得ることができる。また、フィルタ部があり、透水管部材内への泥土等の異物の侵入を防ぎ、ネット部の接着による固定に加えて両端部の外周面を接続部の外嵌部が嵌合して、圧潰に対して弱い構造となる透水管の両端部の強度を確保して、例えば排水管として用いた場合でも、泥土による詰り又は管の潰れ等を防止して長期に亘って高い性能を維持することができる。
【図面の簡単な説明】
【００１６】
【図１】本発明に係る透水管部材を示す一部断面した正面図。
【図２】上記透水管部材同士を接続した状態を示す一部断面した正面図。
【図３】上記透水管部材の接続を示す図で、（Ａ）〜（Ｅ）は異なる部材の接続を示す。
【図４】盛土への上記透水管部材からなる排水管の設置を示す図。
【図５】上記透水管部材の他の使用態様を示す図。
【図６】上記透水管部材の更に異なる使用形態を示す図。
【発明を実施するための形態】
【００１７】
以下、図面に沿って本発明の実施の形態について説明する。本実施の形態に係る透水管部材１は、図１に示すように、透水管２と該透水管の両端部に取付けられた接続部３とを有する。透水管２は、透水孔となる多数の開口を有する合成樹脂製のパイプ部５と、該パイプ部５を囲うフィルタ部６と、該フィルタ部６を覆ったネット部７とからなる。パイプ部５は、紐状に押出された溶融状態の合成樹脂を絡ませながら積層して中空円筒状に成形したものであり、透水孔となる多数の開口を有し、所定の弾力性を有すると共に充分な耐圧性を有する。上記フィルタ部６は、熱可塑性樹脂の不織布からなり、上記パイプ部５の外周に巻付けられる。ネット部７は、合成樹脂からなる帯体を格子状に織り、交点を加熱融着した高い張り強度の網状部材からなり、上記フィルタ部６の外周を押えるように巻付けて、端部同士を接着剤で接着（９）している。これにより、透水管２は、所定長さ（例えば３０ｃｍ〜１００ｃｍ程度）で所定径（例えば３ｃｍ〜８ｃｍ程度）の比較的耐圧性、耐久性を有する中空円筒体からなり、かつ全面に亘って多孔質及びフィルタからなる透水孔を有する。
【００１８】
上記透水管２の両端部には、合成樹脂製の継手からなる接続部３が接着により一体に固定されている。接続部３は、ナイロン、耐衝撃性硬質塩化ビニルが好ましく、大径からなる外嵌部３ａと小径からなる内嵌部３ｂの異径継手管からなる。該接続部３の外嵌部３ａの内周面に透水管２の端部外周面を接着剤を塗布して嵌合し、接続部３は、透水管２の両端部に一体に固定される。透水管２の端面は、異径継手管からなる接続部３の内周側中央に設けられた環状の膨出部３ｃに当接して位置決めされる。両端部に接続部３を有する透水管２からなる透水管部材１は、所定長さからなり、かつ両端部を接続部３に嵌合して一定径寸法を保持された高い精度からなり、かつ所定の柔軟性を有する高い耐圧性、耐久性、耐衝撃性を備え、更に多数の開口からなるパイプ部５及びフィルタ部６からなり、泥土、異物等の侵入を妨げて水等液体を通す優れた濾過性能を有する。
【００１９】
該透水管部材１の接続部３は、好ましくは、その外周側及び内周側のすべての表面に粗面処理又はポリウレタン樹脂の被覆加工等が施されており、摩擦係数の高い表面部となっている。該透水管部材１は、連続して用いられ、盛土の法面に掘削して設置される排水管として用いることが好適である。図２に示すように、透水管部材１は、接続して排水管として用いられる。透水管部材１の一方の接続部３の内嵌部３ｂの外周面に塩化ビニル（塩ビ）製の継手管１０の一端部を嵌合して接続し、更に該継手管１０の他端部に別の透水管部材１の接続部３の内嵌部３ｂを嵌合する。この際、接続部３は、摩擦係数の高い処理が施されており、上記継手管１０等の嵌合により密接して外れ難い状態となるが、より安全に一体的に固定するために、接続部３の内嵌部３ｂの外周面に接着剤を塗布して接着、固定してもよい。接続部３の内嵌部３ｂ先端は、継手管の内周面中央に設けられた環状の膨出部１０ｂに当接して位置決めされる。隣接する透水管部材１，１は、継手管１０の内周面に両端部から接続部３，３の内嵌部３ｂ，３ｂが嵌合し、かつ先端が位置決めされて連続され、直線精度の高い状態で正確、確実かつ容易に接続される。
【００２０】
該接続された透水管部材１からなる排水管設備は、透水管２自体は、所定の耐圧性、耐久性を有し、構造的に耐圧性が低くなる両端部は、充分に強度を有する合成樹脂からなる接続部３の外嵌部３ａがその外周面に嵌合することにより補強され、連続する透水管部材１からなる排水管設備は、充分な強度と耐久性を備える。また、透水管部材１の透水管２は、パイプ部５、フィルタ部６及びネット部７からなる高い濾過性能を有し、泥土等の侵入を妨げ、かつ透水管部材１の接続部３が圧潰されることなく、良好な排水機能を長期に亘って維持することができる。
【００２１】
図４に示すように、透水管部材１は、その先端部に設置された掘削ヘッドにより又は専用の掘削具であけられた細孔に接続されながら盛土３１内に順次埋没される。該盛土内に設置された透水管部材１は、現場で容易に接続されて、所定長さ及び強度の排水管となり、盛土内の地下水を集水して法面３２の外に排出される。透水管部材１は、比較的短くかつ軽い部材からなり、容易に現場に搬入して、容易に施行することができる。
【００２２】
図３に、透水管部材１に接続し得る各部材を例示する。図３（Ａ）は、上述した透水管部材１の一端部分を示す図で、（Ｂ）は、上述した継手管１０である。継手管１０は、上述したように、透水管部材１の接続部３に接続して、更に他の透水管部材１を接続したり、また塩ビ管等の他の部材を接続し得る。
【００２３】
図３（Ｃ）は、塩ビ製の蓋管１１であり、透水管部材１の接続部３の内嵌部３ｂに嵌合する。これにより、透水管部材１の一端は、閉塞される。図３（Ｄ）は、塩ビ管１２であり、前記継手管１０を介して又は接続部３の内嵌部３ｂに嵌合して接続される。図３（Ｅ）は、エルボ管１３であり、接続部３の内嵌部３ｂに嵌合して接続される。上記図３（Ｂ）（Ｃ）（Ｄ）（Ｅ）に示す塩ビ管は、市販の既製品であるが、塩ビ管製品は、他にも数多くあり、適宜の製品を選択して上記透水管部材１に接続し、多種、多様な態様に適用可能である。
【００２４】
図５は、透水管部材１の他の使用例を示す図である。透水管部材１は、その一端に蓋管１１を嵌合して取付けると共に、その他端にエルボ管１３を介して塩ビ管１２等を接続して、ポンプ２１の設置部に配管する。蓋管１１により一端を閉塞した透水管部材１を、雨水貯留槽２０に入れ、上端側を上記エルボ管１３、塩ビ管１２等を通してポンプ２１に連通する。該ポンプ２１の吐出側は、ホース２２を介してノズル２３に連通して、草木等の水やり又は洗車等に利用する。この際、蓋管１１及びエルボ管１３を、透水管部材１の接続部３の内嵌部３ｂに嵌合のみにより接続することが好ましい。嵌合のみによる接続であっても、その表面が高摩擦係数を有するので、吸水による負圧作用状態にあっては確実に接続を維持することができる。そして、透水管部材１のフィルタ部６を清浄する際には、上記エルボ管１３から透水管部材１を外し、更に透水管部材１から蓋管１１を外して容易に洗浄を行うことができる。
【００２５】
図６は、透水管部材１を溜池の掻い掘りに適用した実施態様を示す。溜池４０に１個又は複数個接続した透水管部材１を投入する。透水管部材１の先端は、蓋管１１により閉塞され、透水管部材１の他端は、継手管を介してホース４２に連続し、該ホース４２の他端は、土手４３に設置したポンプ４５に接続され、その吐出管４６は溜池４０の外に導かれる。これにより、泥土、魚等を除去して、透水管部材１から溜池の水を排出し、溜池４０から水を抜き取る。溜池４０内に残った泥土、魚等は、人力により取り除く。この場合も、透水管部材１をホース４２から取外し、更に蓋管１１を外して、透水管部材１の洗浄を容易に行うことができる。
【００２６】
なお、上述実施の形態は、透水管として、パイプ部５、フィルタ部６及びネット部７からなるフィルタパイプを用いたが、これに限らず、スリット状又はパンチングによる多数の孔を有する薄肉鋼管等の他の透水管でもよい。また、本透水管部材は、両端部に接続部を設けた比較的軽くかつ小型の製品となるので、商品として販売、搬送、保管等が容易であり、通流が容易となって、上述した実施の形態に限らず、その他適宜応用可能である。
【符号の説明】
【００２７】
１        透水管部材
２        透水管
３        接続部
３ａ      外嵌部
３ｂ      内嵌部
５        パイプ部
６        フィルタ部
７        ネット部
９        接着部
【図１】
2019100047.tif 000003
【図２】
2019100047.tif 000004
【図３】
2019100047.tif 000005
【図４】
2019100047.tif 000006
【図５】
2019100047.tif 000007
【図６】
2019100047.tif 000008